【手続補正書】
【提出日】平成20年6月11日(2008.6.11)
【手続補正１】
【補正対象書類名】特許請求の範囲
【補正対象項目名】全文
【補正方法】変更
【補正の内容】
【特許請求の範囲】
【請求項１】
各賭けがイベントグループから選ばれた第１の個数のイベントの選択と、前記選択され
た第１の個数のイベントのそれぞれの各参加者の選択と、賭け金とを有する複数の賭け
をコンピュータプロセッサにおいて受け付けるステップと、
賭けプールを構成するよう前記複数の賭けの賭け金を集約するステップと、
少なくとも部分的に前記賭けプールの賭け金に基づき、前記複数の賭けの当選に対する払戻金額をコンピュータプロセッサにおいて決定するステップと、
から構成される方法であって、
前記複数の賭けの第１の賭けの少なくとも１つの選択されたイベントは、前記複数の賭けの第２の賭けの少なくとも１つの選択されたイベントと異なるイベントから構成される方法。
【請求項２】
請求項１記載の方法であって、
前記イベントグループの各イベントの当選参加者を特定する前記イベントグループの結
果を受け付けるステップと、
前記結果に少なくとも部分的に基づき、前記複数の賭けの１以上の当選を決定するステップと、
をさらに有する方法。
【請求項３】
請求項２記載の方法であって、
当選に対する払戻を決定するルールは、前記選択された各参加者の少なくとも一部が前記選択された第１の個数のイベントのそれぞれの当選参加者に対応し、前記複数の賭けのうちの前記賭けが指定されたイベントの当選参加者を含むか否かに少なくとも部分的に基づく方法。
【請求項４】
請求項２記載の方法であって、
当選に対する払戻を決定するルールは、前記選択された各参加者の少なくとも一部が前記選択された第１の個数のイベントのそれぞれの当選参加者に対応し、前記賭け金が少なくとも指定された金額と同じ高さであるか否かに少なくとも部分的に基づく方法。
【請求項５】
請求項２記載の方法であって、
当選に対する払戻を決定するルールは、前記選択された各参加者の少なくとも一部が前記選択された第１の個数のイベントのそれぞれの当選参加者に対応し、前記賭けの選択された各参加者は、指定されたオッズを有する参加者から構成されるか否かに少なくとも部分的に基づく方法。
【請求項６】
請求項２記載の方法であって、
前記１以上の当選の第１の当選のイベントの当選参加者のパリミューチュアル払戻に対して、前記１以上の当選の第１の当選に対する払戻を増大させるステップをさらに有し、
該増大させるステップは、前記プールの当選の当選参加者の間の相対オッズに少なくとも部分的に基づく方法。
【請求項７】
請求項２記載の方法であって、
前記１以上の当選の第１の当選のイベントの当選参加者のパリミューチュアル払戻に対して、前記１以上の当選の第１の当選に対する払戻を増大させるステップをさらに有し、
該増大させるステップは、前記プールのイベントに対する相対的な賭け金に少なくとも部分的に基づく方法。
【請求項８】
請求項６記載の方法であって、前記各当選に対して支払われる金額を決定するステップはさらに、各当選の選択された各参加者のオッズに基づく方法。
【請求項９】
請求項２記載の方法であって、
指定されたオッズを有する前記選択された第１の個数のイベントのそれぞれの第１の当選を選択した各参加者に少なくとも部分的に基づき、前記第１の当選と同じイベントに対する賭けのみについてのパリミューチュアル払戻に対して、前記１以上の当選の第１の当選に対する払戻を増大させるステップをさらに有する方法。
【請求項１０】
請求項２記載の方法であって、
前記１以上の当選の第１の当選のイベントの当選参加者のパリミューチュアル払戻に対して、前記１以上の当選の第１の当選に対する払戻を増大させるステップをさらに有し、
該増大させるステップは、賭けが受け付けされる間に賭けをする人に知られているボーナスに対する前記第１の当選のイベントの選択に少なくとも部分的に基づく方法。
【請求項１１】
請求項２記載の方法であって、
前記１以上の当選の第１の当選のイベントの当選参加者のパリミューチュアル払戻に対して、前記１以上の当選の第１の当選に対する払戻を増大させるステップをさらに有し、
該増大させるステップは、賭けが受け付けされた後に行われたボーナスに対する前記第１の当選のイベントの選択に少なくとも部分的に基づく方法。
【請求項１２】
請求項１記載の方法であって、
前記賭けプールに少なくとも部分的に基づき合計払戻金額を決定するステップは、前記賭けプールに前の賭けプールからのキャリーオーバー金額を加算することを含む方法。
【請求項１３】
請求項１記載の方法であって、
前記イベントグループの各イベントの当選参加者を特定する前記イベントグループの結果を受け付けるステップと、
前記複数の賭けのそれぞれについて、選択される各参加者が前記賭けにおいて選択される第１の個数のイベントのそれぞれの当選参加者に対応するかの決定に少なくとも部分的に基づき、当選があるか判断するステップと、
当選がない場合、以降の合計払戻にキャリーオーバーするキャリーオーバー金額を決定するステップと、
をさらに有する方法。
【請求項１４】
請求項１記載の方法であって、
前記イベントグループの少なくとも１つのイベントをキャンセルするステップと、
前記イベントグループの少なくとも１つのイベントの当選参加者を特定する前記イベントグループの結果を受け付けるステップと、
前記複数の賭けのそれぞれについて、前記選択される各参加者の少なくとも１人が前記賭けにおいて選択された前記第１の個数のイベントの少なくとも１つの当選参加者に対応するか判断することによって、１以上の当選を決定するステップと、
をさらに有する方法。
【請求項１５】
請求項１記載の方法であって、
前記第１の個数のイベントは、異なるトラックで行われる競馬レースイベントを含む方法。
【請求項１６】
請求項１記載の方法であって、
前記第１の個数のイベントは、異なる日に行われるイベントを含む方法。
【請求項１７】
請求項１記載の方法であって、
前記第１の個数のイベントは、競馬レース、ドッグレース、バスケットボール、フットボール、野球、ホッケー、サッカー、ハイアライ、ゴルフ、ボクシング、ラグビー、クリケット、自動車レース、自転車レース、テニス、オリンピック又は他のスポーツイベントからなる群からのイベントから選択された２以上のイベントから構成される方法。
【請求項１８】
請求項１７記載の方法であって、
前記第１の個数のイベントは、少なくとも１つの競馬レースイベントと少なくとも１つのフットボールイベントから構成される方法。
【請求項１９】
請求項１７記載の方法であって、
前記第１の個数のイベントは、少なくとも１つのフットボールイベントと少なくとも１つのバスケットボールイベントから構成される方法。
【請求項２０】
請求項１７記載の方法であって、
前記第１の個数のイベントは、
競馬レース、ドッグレース、バスケットボール、フットボール、野球、ホッケー、サッ
カー、ハイアライ、ゴルフ、ボクシング、ラグビー、クリケット、自動車レース、自転車
レース、テニス、オリンピック、政治イベント又はエンターテイメントイベントからなる群からのイベントから選択された第１イベントと、
競馬レース、ドッグレース、バスケットボール、フットボール、野球、ホッケー、サッ
カー、ハイアライ、ゴルフ、ボクシング、ラグビー、クリケット、自動車レース、自転車
レース、テニス、オリンピック、政治イベント又はエンターテイメントイベントからなる
群からのイベントから選択された第２イベントと、
から構成され、
前記第１イベントと前記第２イベントは、異なるタイプのイベントから構成される方法。
【請求項２１】
請求項１記載の方法であって、
調整パラメータが満たされると前記複数の賭けにボーナスを提供する調整パラメータを規定するステップをさらに有する方法。
【請求項２２】
賭けを管理するシステムであって、
複数の賭けを格納及び処理するよう設計された有形なコンピュータストレージメモリとプロセッサとを有し、
各賭けがイベントグループから選ばれた第１の個数のイベントの選択と、前記選択され
た第１の個数のイベントのそれぞれの各参加者の選択と、賭け金とから構成され、
前記プロセッサは、
賭けプールを構成するよう各賭け金を集約し、
少なくとも部分的に前記賭けプールに基づき合計払戻金額を決定する、
よう動作可能であり、
前記複数の賭けの第１の賭けの少なくとも１つの選択されたイベントは、前記複数の賭けの第２の賭けの少なくとも１つの選択されたイベントと異なるイベントから構成されるシステム。
【請求項２３】
請求項２２記載のシステムであって、
当選に対する払戻を決定するルールは、前記選択された各参加者の少なくとも一部が前記選択された第１の個数のイベントのそれぞれの当選参加者に対応し、前記複数の賭けのうちの前記賭けが指定されたイベントの当選参加者を含むか否かに少なくとも部分的に基づくシステム。
【請求項２４】
請求項２２記載のシステムであって、
当選に対する払戻を決定するルールは、前記選択された各参加者の少なくとも一部が前記選択された第１の個数のイベントのそれぞれの当選参加者に対応し、前記賭け金が少なくとも指定された金額と同じ高さであるか否かに少なくとも部分的に基づくシステム。
【請求項２５】
請求項２２記載のシステムであって、
当選に対する払戻を決定するルールは、前記選択された各参加者の少なくとも一部が前記選択された第１の個数のイベントのそれぞれの当選参加者に対応し、前記賭けの選択された各参加者は、指定されたオッズを有する参加者から構成されるか否かに少なくとも部分的に基づくシステム。
【請求項２６】
請求項２２記載のシステムであって、
前記プロセッサは、各当選の前記選択された各参加者のオッズにさらに基づき、各当選について支払われる金額を決定するよう動作可能であるシステム。
【請求項２７】
請求項２２記載のシステムであって、
前記プロセッサは、前記選択された第１の個数のイベントのそれぞれの第１の当選の選択された各参加者が指定されたオッズを有していた場合、前記１以上の当選の第１の当選に対する払戻を増大させるよう動作可能であるシステム。
【請求項２８】
請求項２２記載のシステムであって、
前記プロセッサは、前記１以上の当選の第１の当選の選択されたイベントの少なくとも１つが指定されたイベントを含む場合、前記１以上の当選の第１の当選に対する払戻を増大させるよう動作可能であるシステム。
【請求項２９】
請求項２２記載のシステムであって、
前記賭けプールに少なくとも部分的に基づき合計払戻金額を決定するよう動作可能なプロセッサは、前記賭けプールに前の賭けプールからのキャリーオーバー金額を加算するよう動作可能なプロセッサから構成されるシステム。
【請求項３０】
請求項２２記載のシステムであって、
前記プロセッサはさらに、
前記イベントグループの各イベントの当選参加者を特定する前記イベントグループの結果を受け付け、
前記複数の賭けのそれぞれについて、選択される各参加者が前記賭けにおいて選択される第１の個数のイベントのそれぞれの当選参加者に対応するか決定することによって、当選があるか判断し、
当選がない場合、以降の合計払戻にキャリーオーバーするキャリーオーバー金額を決定する、
よう動作可能であるシステム。
【請求項３１】
請求項２２記載のシステムであって、
前記プロセッサはさらに、
前記イベントグループの少なくとも１つのイベントをキャンセルし、
前記イベントグループの少なくとも１つのイベントの当選参加者を特定する前記イベントグループの結果を受け付け、
前記複数の賭けのそれぞれについて、前記選択される各参加者の少なくとも１人が前記賭けにおいて選択された前記第１の個数のイベントの少なくとも１つの当選参加者に対応するか判断することによって、１以上の当選を決定する、
よう動作可能であるシステム。
【請求項３２】
請求項２２記載のシステムであって、
前記第１の個数のイベントは、異なるトラックで行われる競馬レースイベントを含むシステム。
【請求項３３】
請求項２２記載のシステムであって、
前記第１の個数のイベントは、異なる日に行われるイベントを含むシステム。
【請求項３４】
請求項２２記載のシステムであって、
前記第１の個数のイベントは、競馬レース、ドッグレース、バスケットボール、フットボール、野球、ホッケー、サッカー、ハイアライ、ゴルフ、ボクシング、ラグビー、クリケット、自動車レース、自転車レース、テニス、オリンピック又は他のスポーツイベント１以上から構成されるシステム。
【請求項３５】
請求項２２記載のシステムであって、
前記第１の個数のイベントは、少なくとも１つの競馬レースイベントと少なくとも１つのフットボールイベントから構成されるシステム。
【請求項３６】
請求項２２記載のシステムであって、
前記第１の個数のイベントは、少なくとも１つのフットボールイベントと少なくとも１つのバスケットボールイベントから構成されるシステム。
【請求項３７】
請求項２２記載のシステムであって、
前記第１の個数のイベントは、
競馬レース、ドッグレース、バスケットボール、フットボール、野球、ホッケー、サッ
カー、ハイアライ、ゴルフ、ボクシング、ラグビー、クリケット、自動車レース、自転車
レース、テニス、オリンピック、政治イベント又はエンターテイメントイベントからなる第１イベントと、
競馬レース、ドッグレース、バスケットボール、フットボール、野球、ホッケー、サッ
カー、ハイアライ、ゴルフ、ボクシング、ラグビー、クリケット、自動車レース、自転車
レース、テニス、オリンピック、政治イベント又はエンターテイメントイベントからなる
第２イベントと、
から構成され、
前記第１イベントと前記第２イベントは、異なるタイプのイベントから構成されるシステム。
【請求項３８】
請求項２２記載のシステムであって、
前記プロセッサは、調整パラメータが満たされると前記複数の賭けにボーナスを提供する調整パラメータを通信するよう動作可能であるシステム。
【請求項３９】
請求項１記載の方法であって、
前記イベントグループの各イベントの当選参加者を特定する前記イベントグループの結果を受け付けるステップと、
前記複数の賭けのそれぞれについて、選択された各参加者が前記賭けにおいて選択された前記第１の個数のイベントのそれぞれの当選参加者に対応するか判断することによって、前記複数の賭けの１以上の当選を決定するステップと、
前記当選の個数、前記合計払戻金額及び前記１以上の当選うちの前記当選の賭け金に基づき、前記１以上の当選のうちの当選について支払われる金額を決定するステップと、
をさらに有する方法。
【請求項４０】
請求項３９記載の方法であって、
前記１以上の当選のうちの前記当選が指定されたイベントの当選参加者を含む場合、前記合計払戻金額からボーナスを支払うステップをさらに有する方法。
【請求項４１】
請求項３９記載の方法であって、
前記１以上の当選のうちの前記当選の選択された第１の個数のイベントのそれぞれの選択された参加者の少なくとも一部が指定されたオッズを有していた場合、前記合計払戻金額からボーナスを支払うステップをさらに有する方法。
【請求項４２】
請求項３９記載の方法であって、
前記第１の個数のイベントは、異なるトラックにおいて行われる競馬レースイベントから構成される方法。
【請求項４３】
請求項３９記載の方法であって、
前記第１の個数のイベントは、少なくとも１つのフットボールイベントと、競馬レース、ドッグレース、バスケットボール、フットボール、野球、ホッケー、サッカー、ハイアライ、ゴルフ、ボクシング、ラグビー、クリケット、自動車レース、自転車
レース、テニス、オリンピック又は他のスポーツイベントの少なくとも１つのイベントとから構成される方法。
【請求項４４】
請求項３９記載の方法であって、
前記第１の個数のイベントは、
競馬レース、ドッグレース、バスケットボール、フットボール、野球、ホッケー、サッカー、ハイアライ、ゴルフ、ボクシング、ラグビー、クリケット、自動車レース、自転車レース、テニス、オリンピック、政治イベント又はエンターテイメントイベントからなる
第１イベントと、
競馬レース、ドッグレース、バスケットボール、フットボール、野球、ホッケー、サッカー、ハイアライ、ゴルフ、ボクシング、ラグビー、クリケット、自動車レース、自転車レース、テニス、オリンピック、政治イベント又はエンターテイメントイベントからなる
第２イベントと、
から構成され、
前記第１イベントと前記第２イベントは、異なるタイプのイベントから構成される方法。
【請求項４５】
請求項３９記載の方法であって、
調整パラメータが満たされると前記複数の賭けにボーナスを提供する調整パラメータを規定するステップをさらに有する方法。
【請求項４６】
請求項１記載の方法であって、
前記イベントグループの結果を受け付けるステップと、
前記結果に基づき前記複数の賭けの１以上の当選を決定するステップと、
をさらに有する方法。
【請求項４７】
請求項１記載の方法であって、
前記第２の賭けの少なくとも１つの選択されたイベントと異なるイベントから構成される前記第１の賭けの少なくとも１つの選択されたイベントは、前記第２の賭けの少なくとも１つの選択されたイベントと異なるタイプのイベントを含む方法。
【請求項４８】
請求項２２記載のシステムであって、
前記第２の賭けの少なくとも１つの選択されたイベントと異なるイベントから構成される前記第１の賭けの少なくとも１つの選択されたイベントは、前記第２の賭けの少なくとも１つの選択されたイベントと異なるタイプのイベントを含むシステム。
【請求項４９】
少なくとも第１のイベントを有する第１の選択された個数のイベントと、前記第１の選択された個数のイベントのそれぞれの参加者の選択と、第１の賭け金とを有する第１の賭けをコンピュータプロセッサにおいて受け付けるステップと、
前記第１のイベントと異なる少なくとも第２のイベントを有する第２の選択された個数のイベントと、前記第２の選択された個数のイベントのそれぞれの参加者の選択と、第２の賭け金とを有する第２の賭けを前記コンピュータプロセッサにおいて受け付けるステップと、
前記第１の賭け金と前記第２の賭け金とを集計することによって構成される賭け金プールの金額に少なくとも部分的に基づき合計払戻金額を前記コンピュータプロセッサにおいて決定するステップと、
を有する方法。
【請求項５０】
請求項４９記載の方法であって、
前記第１のイベントと異なる第２のイベントは、前記第１のイベントと異なるタイプのイベントから構成される方法。
【請求項５１】
請求項４９記載の方法であって、
前記第１の選択された個数のイベントは、前記第２の選択された個数のイベントと異なる個数のイベントから構成される方法。
【請求項５２】
ユーザから何れに賭けるかに対するイベントと該イベントの結果とを選択する賭けをコンピュータ入力装置において受け付けるステップと、
複数のユーザからの複数の賭けを賭けプールに構成するため前記賭けを転送するステップと、
を有する方法であって、
前記複数の賭けの各賭けは、イベントと金額の指定を含み、
前記賭けプールの複数の賭けは、複数の複数の相異なるイベントに対する賭けを含み、
前記賭けプールは、該賭けプールの賭けにより指定される少なくとも２つのイベントの結果に基づき、前記複数の賭けの当選に対する払戻を決定するようプロセッサにより処理される方法。
【請求項５３】
請求項５２記載の方法であって、
前記イベントグループの各イベントの当選結果を特定する前記イベントグループの結果を受け付けるステップと、
前記結果に少なくとも部分的に基づき前記複数の賭けの１以上の当選を決定するステップと、
をさらに有する方法。
【請求項５４】
請求項５３記載の方法であって、
当選に対する払戻を決定するルールは、前記選択された各結果の少なくとも一部が前記選択された第１の個数のイベントのそれぞれの当選結果に対応し、前記複数の賭けのうちの前記賭けが指定されたイベントの当選結果を含むか否かに少なくとも部分的に基づく方法。
【請求項５５】
請求項５３記載の方法であって、
当選に対する払戻を決定するルールは、前記選択された各結果の少なくとも一部が前記選択された第１の個数のイベントのそれぞれの当選結果に対応し、前記賭け金が少なくとも指定された金額と同じ高さであるか否かに少なくとも部分的に基づく方法。
【請求項５６】
請求項５３記載の方法であって、
当選に対する払戻を決定するルールは、前記選択された各結果の少なくとも一部が前記選択された第１の個数のイベントのそれぞれの当選結果に対応し、前記賭けの選択された各結果は、指定されたオッズを有する結果から構成されるか否かに少なくとも部分的に基づく方法。
【請求項５７】
請求項５３記載の方法であって、
前記１以上の当選の第１の当選のイベントの当選結果のパリミューチュアル払戻に対して、前記１以上の当選の第１の当選に対する払戻を増大させるステップをさらに有し、
該増大させるステップは、前記プールの当選の当選結果の間の相対オッズに少なくとも部分的に基づく方法。
【請求項５８】
請求項５３記載の方法であって、
前記１以上の当選の第１の当選のイベントの当選結果のパリミューチュアル払戻に対して、前記１以上の当選の第１の当選に対する払戻を増大させるステップをさらに有し、
該増大させるステップは、前記プールのイベントに対する相対的な賭け金に少なくとも部分的に基づく方法。
【請求項５９】
請求項５３記載の方法であって、
指定されたオッズを有する前記選択された第１の個数のイベントのそれぞれの第１の当選の選択された各結果に少なくとも部分的に基づき、前記第１の当選と同じイベントに対する賭けのみについてのパリミューチュアル払戻に対して、前記１以上の当選の第１の当選に対する払戻を増大させるステップをさらに有する方法。
【請求項６０】
請求項５３記載の方法であって、
前記１以上の当選の第１の当選のイベントの当選結果のパリミューチュアル払戻に対して、前記１以上の当選の第１の当選に対する払戻を増大させるステップをさらに有し、
該増大させるステップは、賭けが受け付けされる間に賭けをする人に知られているボーナスに対する前記第１の当選のイベントの選択に少なくとも部分的に基づく方法。
【請求項６１】
請求項５３記載の方法であって、
前記１以上の当選の第１の当選のイベントの当選結果のパリミューチュアル払戻に対して、前記１以上の当選の第１の当選に対する払戻を増大させるステップをさらに有し、
該増大させるステップは、賭けが受け付けされた後に行われたボーナスに対する前記第１の当選のイベントの選択に少なくとも部分的に基づく方法。
【請求項６２】
請求項５３記載の方法であって、
各当選について支払われる金額を決定するステップはさらに、各当選の選択された各結果のオッズに基づく方法。
【請求項６３】
請求項５２記載の方法であって、
前記賭けプールに少なくとも部分的に基づき合計払戻金額を決定するステップは、前記賭けプールに前の賭けプールからのキャリーオーバー金額を加算することを含む方法。
【請求項６４】
請求項５２記載の方法であって、
前記イベントグループの各イベントの当選結果を特定する前記イベントグループの結果を受け付けるステップと、
前記複数の賭けのそれぞれについて、選択された各結果が前記賭けにおいて選択される前記第１の個数のイベントのそれぞれの当選結果に対応するか否かの決定に少なくとも部分的に基づき、当選があるか判断するステップと、
当選がない場合、以降の合計払戻にキャリーオーバーするキャリーオーバー金額を決定するステップと、
をさらに有する方法。
【請求項６５】
請求項５２記載の方法であって、
前記イベントグループの少なくとも１つのイベントをキャンセルするステップと、
前記イベントグループの少なくとも１つのイベントの当選結果を特定する前記イベントグループの結果を受け付けるステップと、
前記複数の賭けのそれぞれについて、前記選択された各結果の少なくとも１つが前記賭けにおいて選択される前記第１の個数のイベントの少なくとも１つの当選結果に対応するか判断することによって、１以上の当選を決定するステップと、
をさらに有する方法。
【請求項６６】
請求項５２記載の方法であって、
前記第１の個数のイベントは、異なるトラックにおいて開催される競馬レースイベントから構成される方法。
【請求項６７】
請求項５２記載の方法であって、
前記第１の個数のイベントは、異なる日に開催されるイベントから構成される方法。
【請求項６８】
請求項５２記載の方法であって、
前記プールの賭けの基礎となるイベントは、競馬レース、ドッグレース、バスケットボール、フットボール、野球、ホッケー、サッカー、ハイアライ、ゴルフ、ボクシング、ラグビー、クリケット、自動車レース、自転車レース、テニス、オリンピック又は他のスポーツイベントから選択された２以上のイベントクラスから構成される方法。
【請求項６９】
請求項６８記載の方法であって、
前記プールの賭けの基礎となるイベントは、少なくとも１つの競馬レースイベントと少なくとも１つのバスケットボールイベントから構成される方法。
【請求項７０】
請求項６８記載の方法であって、
前記プールの賭けの基礎となるイベントは、少なくとも１つのフットボールイベントと少なくとも１つのバスケットボールイベントから構成される方法。
【請求項７１】
請求項６８記載の方法であって、
前記プールの賭けの基礎となるイベントは、
競馬レース、ドッグレース、バスケットボール、フットボール、野球、ホッケー、サッカー、ハイアライ、ゴルフ、ボクシング、ラグビー、クリケット、自動車レース、自転車レース、テニス、オリンピック、政治イベント又はエンターテイメントイベントからなる
群からのイベントから選択された第１イベントと、
競馬レース、ドッグレース、バスケットボール、フットボール、野球、ホッケー、サッカー、ハイアライ、ゴルフ、ボクシング、ラグビー、クリケット、自動車レース、自転車レース、テニス、オリンピック、政治イベント又はエンターテイメントイベントからなる
群からのイベントから選択された第２イベントと、
から構成され、
前記第１イベントと前記第２イベントは、異なるタイプのイベントから構成される方法。
【請求項７２】
請求項５２記載の方法であって、
調整パラメータが満たされると前記複数の賭けにボーナスを提供する調整パラメータを規定するステップをさらに有する方法。